(57)【要約】 【課題】レンズ交換式のデジタルカメラが備えるアクセサリシューにビューファインダが装着されて撮影が行なわれている最中にレンズ交換が行なわれたとしてもレンズ交換後のレンズに適合するビューファンインダが間違いなく装着されるレンズ交換式の撮影装置を提供する。【解決手段】デジタルカメラ１のボディ上面に備えられているファインダ装着部１００に、装着されたビューファインダの種別を検出するファインダ種別検出手段を設ける。さらにレンズ１１にレンズ情報を記憶しておくメモリ１１０を設ける。カメラ本体側のＣＰＵ１０１は、ファインダ種別検出手段により検出されたファインダの種別がレンズ種別検出手段により検出されたレンズの種別に適合するか否かを判定し、判定結果をユーザに向けて通知する。【選択図】図２
2007322954.tif 000002
【特許請求の範囲】
【請求項１】
レンズ交換式であって撮影により画像データを生成する撮影装置において、
ビューファインダが着脱自在に装着されるファインダ装着部と、
前記ファインダ装着部に装着されたビューファインダの種別を検出するファインダ種別検出手段と、
装着されたレンズの種別を検出するレンズ種別検出手段と、
前記ファインダ種別検出手段により検出されたファインダの種別が前記レンズ種別検出手段により検出されたレンズの種別に適合するか否かを判定する適合判定手段と、
前記適合性判定手段による適合しないとの判定結果を受けて該判定結果をユーザに向けて通知する通知手段とを備えたことを特徴とする撮影装置。
【請求項２】
前記レンズが、撮像素子が搭載されたレンズであることを特徴とする請求項１記載の撮影装置。
【請求項３】
前記ファインダ装着部が、カメラボディに備えられているものであることを特徴とする請求項１記載の撮影装置。
【請求項４】
前記ファインダ装着部が、前記レンズに備えられているものであることを特徴とする請求項１記載の撮影装置。
【発明の詳細な説明】
【技術分野】
【０００１】
本発明は、レンズ交換式であって撮影により画像データを生成する撮影装置に関する。
【背景技術】
【０００２】
レンズ交換式のデジタルカメラの中にはアクセサリシューを設けて外付けのファインダを装着することができる様にしているものがある。この種のレンズ交換式のデジタルカメラにあっては、表示画面をファインダとして用いることができるので、表示画面が見難くなったときや表示画面ではどうしても時間遅れがあって移動体を的確に捉えることができないとき等に上記アクセサリシューに外付けのファインダを装着して撮影を行なうことができる様にしている。こういったレンズ交換式のデジタルカメラの中には、レンズの中に撮像素子を備えたものもある。
【０００３】
ところで、このようなデジタルカメラにおいては、レンズと同じ焦点距離を持つ単焦点のビューファインダがアクセサリシューに装着されて撮影が行なわれることがある。このレンズ交換型のデジタルカメラを使うときに撮影者の多くは、様々な種類のレンズをケース等に入れて持ち歩いて被写体に応じてレンズ交換を行いながら撮影を行なう場合が多い。
【０００４】
そのような場合に例えば特許文献１〜３に示す様なズームファインダがアクセサリシューに装着されていればレンズ交換が行なわれてもファインダを一々取り替える必要がないことが多いが、上記単焦点のビューファインダが装着されているときにレンズ交換が行なわれたときには交換後のレンズの焦点距離にあうビューファインダに取り替えないと、ファインダ画角が撮影画角と合わなくなる恐れがある。
【特許文献１】特開平８−３２０５１３号公報
【特許文献２】特開２００１−１２５１７１号公報
【特許文献３】実公平６−０３１４６１号公報
【発明の開示】
【発明が解決しようとする課題】
【０００５】
本発明は、上記事情に鑑み、レンズ交換式のデジタルカメラが備えるアクセサリシューにビューファインダが装着されて撮影が行なわれている最中にレンズ交換が行なわれたとしてもレンズ交換後のレンズに適合するビューファンインダが間違いなく装着されるレンズ交換式の撮影装置を提供することを目的とする。
【課題を解決するための手段】
【０００６】
上記目的を達成する本発明の撮影装置は、レンズ交換式であって撮影により画像データを生成する撮影装置において、
ビューファインダが着脱自在に装着されるファインダ装着部と、
上記ファインダ装着部に装着されたビューファインダの種別を検出するファインダ種別検出手段と、
装着されたレンズの種別を検出するレンズ種別検出手段と、
上記ファインダ種別検出手段により検出されたファインダの種別が上記レンズ種別検出手段により検出されたレンズの種別に適合するか否かを判定する適合判定手段と、
上記適合性判定手段による適合しないとの判定結果を受けて該判定結果をユーザに向けて通知する通知手段とを備えたことを特徴とする。
【０００７】
上記本発明の撮影装置によれば、例えば単焦点のビューファインダが装着されたままレンズ交換が行なわれてその単焦点のビューファインダには適合しない焦点距離のレンズが装着されたときには、上記適合性判定手段による適合しないとの判定結果が上記通知手段により聴覚的もしくは視覚的に通知される。また、ズームファインダが装着されていたとしても倍率つまり焦点距離が合わない場合には、上記適合性判定手段による適合しないとの判定結果が上記通知手段により聴覚的もしくは視覚的に通知される。
【０００８】
そうすると、その通知を受けたユーザによってビューファインダが交換後のレンズに適合するものに交換されてから撮影が行なわれる様になる。
【０００９】
以上説明した様に、レンズ交換式のデジタルカメラが備えるアクセサリシューにビューファインダが装着されて撮影が行なわれている最中にレンズ交換が行なわれたとしてもレンズ交換後のレンズに適合するビューファンインダが間違いなく装着されるレンズ交換式の撮影装置が実現する。
【００１０】
ここで、上記レンズが、撮像素子が搭載されたレンズであっても良い。
【００１１】
撮影装置の中には、上記した様にレンズがレンズのみのものもあれば、レンズの中に撮像素子が備えられているものもある。どちらの撮影装置においても本発明は適用される。
【００１２】
このため、上記レンズがレンズのみの場合には上記ファインダ装着部がカメラボディに備えられていることが必要になるが、上記レンズが、上記撮像素子が搭載されたレンズであった場合には上記ファインダ装着部が上記レンズに備えられることもある。
【発明の効果】
【００１３】
以上、説明したように、レンズ交換式のデジタルカメラが備えるアクセサリシューにビューファインダが装着されて撮影が行なわれている最中にレンズ交換が行なわれたとしてもレンズ交換後のレンズに適合するビューファンインダが間違いなく装着されるレンズ交換式の撮影装置が実現する。
【発明を実施するための最良の形態】
【００１４】
以下、本発明の実施形態であるデジタルカメラを説明する。
【００１５】
図１は、本発明の一実施形態であるデジタルカメラを示す図である。
【００１６】
図１には、レンズ交換式であって撮影により画像データを生成するデジタルカメラの外観が示されている。図１（ａ）には、正面斜め前方から見た斜視図が示されており、図１（ｂ）には、背面斜め後方から見た斜視図が示されている。
【００１７】
まず図１を参照してデジタルカメラ１の構成を説明する。
【００１８】
図１（ａ）、図１（ｂ）にはカメラ本体１０のボディの中央に設けられているマウント部に交換自在にレンズ１１が装着され、ボディの上面のファインダ装着部１００にビューファインダ１２が着脱自在に装着された後の状態が示されている。
【００１９】
図１（ａ）、図１（ｂ）に示すデジタルカメラ１は、撮影により画像データを生成するものであって、通常の撮影においては図１（ｂ）に示す表示画面１５０がファインダとして用いられる。本実施形態のデジタルカメラにおいては、さらに撮影環境（被写界の明るさ等）や被写体（移動体等）に応じては光学ファインダ１２をファインダ装着部１００に装着して撮影を行なうことができる様にもしている。
【００２０】
図２は、レンズ１１と、ビューファインダ１２が装着されたカメラ本体１０とを光軸に沿って切断し切断した切断面を横方向から見た図である。
【００２１】
図２に示すレンズ１１には内蔵のメモリ１１０が設けられそのメモリ１１０内にはレンズの種別を表わすレンズ情報が記憶されている。他のレンズすべてに上記メモリが設けられているとして以降話を進める。
【００２２】
図２に示すレンズ１１がカメラ本体１０に装着されたときにはそのメモリ１１０の内容がカメラ本体内部のＣＰＵ１０１によって読み取られる。また上記ファインダ装着部１００には、そのファインダ装着部１１０に装着されたビューファインダ１１の種別を検出するファインダ種別検出手段（後述する）が設けられていてビューファインダ１２がファインダ装着部１００に装着されたときにはそのファインダ種別検出手段による検出を受けてＣＰＵ１０１によってファインダの種別が検知される。
【００２３】
つまり、本実施形態のデジタルカメラ１では、レンズ１１がカメラ本体１０に装着されたときにレンズ１１が備える内蔵のメモリ１１０に記憶されているレンズの種別を表わすレンズ情報がカメラ本体内のＣＰＵ１０１によって読み取られ、またビューファインダ１２がファインダ装着部１００に装着されたときにファインダ種別検出手段（後述する）によるファインダの種別の検出に応じてＣＰＵ１０１によってファインダの種別が検知される。
【００２４】
こうしてレンズ１１の種別とビューファインダ１２の種別との双方がＣＰＵ１０１によって検知されたら、ＣＰＵ１０１によってレンズの種別とファインダの種別との適合性が判定される。
【００２５】
ここでＣＰＵ１０１によって双方が適合すると判定されたら、表示画面１５０上に‘適合します’という表示が行なわれて撮影者に判定結果が通知される。また、ＣＰＵ１０１によって双方が適合しないと判定されたら‘適合しないのでビューファインダを取り替えてください’という表示が表示画面１５０上に行なわれてユーザに向けて判定結果が通知される。この様にしておくと、レンズ１１にビューファインダ１２が合致しない場合には、撮影者に対して通知によりビューファインダ１２を取り替えることを促すことができるので、レンズに適合しないビューファインダ１２が装着されたまま撮影が行なわれるということがなくなる。
【００２６】
本実施形態においては、ＣＰＵ１０１が本発明にいう適合判定手段に相当し、ＣＰＵ１０１とメモリ１１０とが本発明にいうレンズ種別検出手段に相当する。
【００２７】
ここで、ファインダ装着部１００が備える本発明にいうファインダ種別検出手段の構造を説明する。
【００２８】
図３は、ファインダ装着部１００が備えるファインダ種別検出手段の構造を説明する図である。また、図４は、そのファインダ装着部に装着されるファインダ側の取付部を示す図である。
【００２９】
図３に示すファインダ装着部１００には、図４に示すビューファインダ１２の取付部１２０の挿入端１２１によって押されて動作するスイッチＳＷ１、ＳＷ２、ＳＷ３が３つ設けられている。これらのスイッチＳＷ１、ＳＷ２、ＳＷ３からの信号（オン信号、オフ信号のいずれか）はＣＰＵ１２０に常に入力されている。
【００３０】
ここで、例えば図４に示すビューファインダ１２側の取付部１２０の挿入端１２１に複数のスイッチＳＷ１〜ＳＷ３のうちの２つ、あるいはすべてを押す操作部を設けておけば、３つのスイッチＳＷ１，ＳＷ２，ＳＷ３それぞれのオンオフ状態の違いによって光学ファインダの種別がＣＰＵ１０１に伝えられる。挿入端１２１に操作部を設けるにあたっては、挿入端１２１に切欠１２１ａを設けるか設けないかによってスイッチを押さない操作部位とするか、スイッチを押す操作部位とするかが区別される。
【００３１】
図３の例では３つのスイッチＳＷ１〜ＳＷ３が３つ設けられているので、２の３乗通りである８通りの種別がＣＰＵ１０１に通知される。もしもビューファインダの種別がそれ以上あるならば、スイッチの数を増やせば、さらに多くの種別を検出することができる様になる。
【００３２】
すなわち、本実施形態においては、３つのスイッチＳＷ１〜ＳＷ３とＣＰＵ１０１とがファインダ種別検出手段に相当する。
【００３３】
以上説明した様に、レンズ交換式のデジタルカメラが備えるアクセサリシューにビューファインダが装着されて撮影が行なわれている最中にレンズ交換が行なわれときにレンズ交換後のレンズに適合するビューファンインダが間違いなく装着されるレンズ交換式の撮影装置が実現する。
【００３４】
図５は、第２の実施形態を説明する図である。
【００３５】
図５には、撮像素子が搭載されたレンズ２ａが交換自在にカメラ本体２ｂに装着されるデジタルカメラ２が示されている。
【００３６】
この図４に示す構成のデジタルカメラ２の場合においては、ファインダ装着部をカメラボディ２ａに設けることも、レンズ２ｂに設けることもできる。どちらにファインダ装着部２００ａ又は２００ｂを設けたとしてもレンズおよびビューファインダの装着時にカメラ本体側のＣＰＵが双方の種別を検出する構成にしておけば、第１の実施形態と同様の効果が得られる。また、レンズ２ａがＣＰＵ内蔵のものである場合には、レンズ側のＣＰＵを本発明にいう適合判定手段として機能させても良い。
【００３７】
以上説明した様に、レンズにあったビューファンインダが間違いなく装着されるレンズ型の撮影装置が実現する。
【００３８】
なお、レンズ交換式であって撮影により画像データを生成する撮影装置例えばビデオ機器であっても本発明は適用される。
【図面の簡単な説明】
【００３９】
【図１】本発明の一実施形態であるデジタルカメラを示す図である。
【図２】レンズ１１と、ビューファインダ１２が装着されたカメラ本体１０とを横方向から見た図である。
【図３】ファインダ装着部１００が備えるファインダ種別検出手段の構成を説明する図である。
【図４】ビューファインダ側の取付部の構成を示す図である。
【図５】第２の実施形態を説明する図である。
【符号の説明】
【００４０】
１   ２     デジタルカメラ
１０    カメラ本体
１００    ファインダ装着部
ＳＷ１  ＳＷ２  ＳＷ３    スイッチ
１０１    ＣＰＵ
１０２    シャッタボタン
１１    レンズ
１２    ビューファインダ
１２０    取付部
１２１    挿入端（操作部）
１２１ａ    切欠
【図１】
2007322954.tif 000003
【図２】
2007322954.tif 000004
【図３】
2007322954.tif 000005
【図４】
2007322954.tif 000006
【図５】
2007322954.tif 000007